(57)【要約】【課題】  本発明の目的は、顔写真、個人特異性の高い本人照合情報等の比較的情報量の多いデータであっても、これらのデータを格納し、本人確認等に利用することが可能な２次元コードを備えた偽造防止カード、該偽造防止カードを用いた情報提示照合システム及び情報提示照合方法を提供することにある。【解決手段】  少なくとも２つのカード素材２０１，２０２を積層して形成されたカード２に関する。  カード素材２０１，２０２の間には、ＩＣチップ２０３，ＲＦＩＤタグ２０４のうち少なくとも一つが挟持され、少なくとも一つのカード素材２０１には、画像データが格納された２次元コード１が形成されており、ＩＣチップ２０３，ＲＦＩＤタグ２０４には、２次元コード１に格納されたデータを照合するための照合データが格納されている。【選択図】    図１
2005346447.tif 000002
【特許請求の範囲】
【請求項１】
少なくとも２つのカード素材を積層して形成されたカードであって、
前記カード素材の間には、ＩＣチップ，ＲＦＩＤタグのうち少なくとも一つが挟持され、
少なくとも一つの前記カード素材には、画像データが格納された２次元コードが形成されており、
前記ＩＣチップ，ＲＦＩＤタグには、前記２次元コードに格納されたデータを照合するための照合データが格納されていることを特徴とする２次元コードを備えたカード。
【請求項２】
前記２次元コードは、レーザ光を前記カード素材に照射し、前記レーザ光の焦点位置を前記カード素材の厚さ方向内部に合わせ、前記焦点位置の素材を変質させてレーザマーキングを施すことにより形成されていることを特徴とする請求項１に記載の２次元コードを備えたカード。
【請求項３】
前記画像データは、少なくとも白黒画像又はカラー画像からなる前記カード所有者の顔写真データ，虹彩データ，ＤＮＡデータ，静脈パターンデータ，指紋データ，印影データ，サインデータのいずれか一つを含むデータであることを特徴とする請求項１記載の２次元コードを備えたカード。
【請求項４】
前記２次元コードは、少なくとも２個設けられており、
各前記２次元コードには、前記画像データ又は文字データが格納され、
少なくとも一つの２次元コードは、コードサイズが０ｍｍより大きく２．０ｍｍ以下で形成されていることを特徴とする請求項１記載の２次元コードを備えたカード。
【請求項５】
前記２次元コードには、電子透かし形態の識別子が埋め込まれていることを特徴とする請求項１，請求項２，請求項４いずれかに記載の２次元コードを備えたカード。
【請求項６】
少なくとも２つのカード素材を積層して形成されたカードであって、前記カード素材の間に、ＩＣチップ，ＲＦＩＤタグのうち少なくとも一つが挟持されたカードを用いた情報提示照合システムであって、
前記２次元コードに格納された画像データと、前記２次元コードに格納された情報との照合を行うために前記ＩＣチップ，前記ＲＦＩＤタグに格納された照合データと、を読み取る読取手段と、該読取手段で読取られた前記画像データと前記照合データと、を照合する照合手段と、前記読取手段により読み取られた前記画像データ及び前記照合手段で照合された照合結果を出力する出力手段と、を備えることを特徴とする情報提示照合システム。
【請求項７】
前記２次元コードは、レーザ光を前記カード素材に照射し、前記レーザ光の焦点位置を前記カード素材の厚さ方向内部に合わせ、前記焦点位置の素材を変質させてレーザマーキングを施すことにより形成されていることを特徴とする請求項６記載の情報提示照合システム。
【請求項８】
前記２次元コードには、電子透かしの形態の識別子が埋め込まれており、
前記照合手段は、前記２次元コードから前記識別子を抽出する抽出手段を含み、
前記識別子に対応した関連データを復号して、前記２次元コードに格納された情報との照合を行うことを特徴とする請求項６記載の情報提示照合システム。
【請求項９】
前記情報提示照合システムには、個人情報を読み込む個人情報サンプリング手段が備えられ、
前記照合手段は、前記個人情報サンプリング手段により読み込まれた個人情報サンプリングデータと、前記画像データと、前記照合データと、の照合を行うことを特徴とする請求項６又は８記載の情報提示照合システム。
【請求項１０】
前記画像データは、前記偽造防止カード所有者の顔写真データ，虹彩データ，ＤＮＡデータ，静脈パターンデータ，指紋データ，印影データ，サインデータのいずれか一つであることを特徴とする請求項６，請求項８，請求項９いずれかに記載の情報提示照合システム。
【請求項１１】
少なくとも２つのカード素材を積層して形成されたカードであって、前記カード素材の間に、ＩＣチップ，ＲＦＩＤタグのうち少なくとも一つが挟持されたカードを用いた情報提示照合方法であって、
前記２次元コードに格納された画像データと、前記２次元コードに格納された情報との照合を行うために前記ＩＣチップ，前記ＲＦＩＤタグに格納された照合データと、を読み取る情報読取ステップと、
個人より取得した個人情報サンプリングデータを読み込む個人情報サンプリングステップと、
該読取手段で読取られた前記画像データと、前記照合データと、前記個人情報サンプリングデータと、の照合を行う情報照合ステップと、
前記読取手段により読み取られた前記画像データ及び前記照合手段で照合された照合結果を出力する出力ステップと、を行うことを特徴とする情報提示照合方法。
【請求項１２】
前記２次元コードには、電子透かしの形態の識別子が埋め込まれており、
前記情報照合ステップは、前記２次元コードから前記識別子を抽出する抽出ステップを含み、
前記識別子に対応した関連データを復号して、前記２次元コードに格納された情報との照合を行うことを特徴とする請求項１１記載の情報提示照合方法。
【発明の詳細な説明】
【技術分野】
【０００１】
本発明は２次元コード，ＩＣチップ，ＲＦＩＤタグを備えた偽造防止カード、該偽造防止カードを用いた情報提示照合システム及び情報提示照合方法に係り、特に、偽造防止カードに付された２次元コードに格納された情報とＩＣチップ，ＲＦＩＤタグに格納された情報とを照合することによりデータが改竄されたことを容易に認知することができる偽造防止カード、情報提示照合システム及び情報提示照合方法に関する。
【背景技術】
【０００２】
従来より、店舗での買い物や施設利用の際に、会員カードを提示してサービスポイントの提供を受けたり、施設利用の許可を得ることが行われている。従来では、特に本人確認等を行うことなく、カードの使用がなされていた。
このため、第三者が拾得して不正に使用した場合であっても、本人かどうかを見分けることができず、そのまま使用を許可してしまうという問題があった。
【０００３】
なお、クレジットカードを用いて商品購入等を行う場合は、提示したクレジットカードが本人のものであると認証する必要があるため、認証の方法として、自筆のサインを示すことが一般的に行われている。
しかし、このように自筆のサインを示すものであっても、クレジットカードが拾得されて不正に使用された場合、クレジットカードに書かれた筆跡を真似されてしまったり、あるいはクレジットカードのサイン部分を改竄されてしまうと、正規のサインかどうかを、商品提供者が完璧に見極めることは困難であった。
このため、カードに本人の顔写真を組み込み、この顔写真により認証を行う方法が知られている。しかし、顔写真の部分を改竄された場合には、対応することができなかった。
或いは、本人専用の認証コードをクレジットカードに登録しておき、カード使用時に、前記認証コードをユーザに問い合わせることにより、本人の認証を行うシステムが提案されている（例えば、特許文献１参照）。
【０００４】
また、２次元コードを表面にマーキングしたカード内部にＩＣチップを埋め込み、２次元コード固有のＩＤ番号と、使用者が暗唱している使用者ＩＤ番号及びＩＣチップに記録されているＩＣ番号の３者を照合してホストコンピュータの管理データと一致した場合にカード利用可能金額を増額させるシステムが提案されている（例えば、特許文献２参照）。
【０００５】
【特許文献１】特開２００２−０９９８５５号公報（第３頁、図１）
【０００６】
【特許文献２】特開２０００−２２２５５２号公報（第２欄乃至第４欄、図１）。
【発明の開示】
【発明が解決しようとする課題】
【０００７】
しかし、上記特許文献１の技術では、ユーザが口頭で認証コードを回答する構成であるため、第三者が付近にいた場合、第三者に認証コードが知られてしまうおそれがあった。
また、カードが拾得されて解析され、認証コードが割り出されてしまった場合は、カードの不正使用を防止することができなかった。
【０００８】
上記特許文献２の技術では、２次元コードに格納されている情報がＩＤ番号等の文字情報であるため、データの個人特異性が低く、データの改竄が容易であった。また、２次元コードに格納されている情報が文字データであるため、情報量が少なく、格納情報の解読が容易であった。
更に、カード表面に２次元コード，文字，画像等を形成するために、２次元コード等の改竄が容易であるとともに、改竄されたことを容易に認識することが困難であった。また、カード表面に２次元コード等が形成されているために、汚れや破損等による外的影響を受ける可能性が高かった。
なお、近年、カード偽造等のカード不正が増加しており、何重ものデータ照合や個人特異性の高い照合データによる照合を行うことができるセキュリティの高いカード及び情報照合システムが望まれている。
【０００９】
本発明の目的は、顔写真、個人特異性の高い本人照合情報等の比較的情報量の多いデータであっても、これらのデータを格納し、本人確認等に利用することが可能な２次元コードを備えた偽造防止カード、該偽造防止カードを用いた情報提示照合システム及び情報提示照合方法を提供することにあり、他の目的は、２次元コードに格納したデータと照合するためのデータを格納したＩＣチップ、ＲＦＩＤタグを偽造防止カード内に埋め込むことによって、チェック体制を強化し、更に、カード素材内部にマーキングを施すことにより不正にデータを改竄される可能性の低い偽造防止カード、該偽造防止カードを用いた情報提示照合システム及び情報提示照合方法を提供することにある。更に、他の目的は、２次元コードに電子透かし形態の識別子を埋め込むことにより、よりセキュリティの高い偽造防止カード、該偽造防止カードを用いた情報提示照合システム及び情報提示照合方法を提供することにある。
【課題を解決するための手段】
【００１０】
前記課題は、本発明の請求項１に係る２次元コードを備えたカードによれば、少なくとも２つのカード素材を積層して形成されたカードであって、前記カード素材の間には、ＩＣチップ，ＲＦＩＤタグのうち少なくとも一つが挟持され、少なくとも一つの前記カード素材には、画像データが格納された２次元コードが形成されており、前記ＩＣチップ，ＲＦＩＤタグには、前記２次元コードに格納されたデータを照合するための照合データが格納されていることにより解決される。
【００１１】
このように構成されているので、２次元コードからデコードされた画像から算出されるデータとＩＣチップ，ＲＦＩＤタグに格納されたデータを照合して、カードが偽造されたものであるか否かを確認することができる。
また、２次元コードに格納する画像を、カード所有者の顔画像等の本人特異性が高いものとすることによって、カードを偽造することが困難となり、よりセキュリティの高いカードとすることができる。
【００１２】
また、前記２次元コードは、レーザ光を前記カード素材に照射し、前記レーザ光の焦点位置を前記カード素材の厚さ方向内部に合わせ、前記焦点位置の素材を変質させてレーザマーキングを施すことにより形成されていると、表面にマーキング痕が形成されないため好適である。
このように、いわゆるインナーマーキング方式で２次元コードを形成しているため、カード表面に改竄を施すことによるカードの偽造が困難となる。
また、カードの損傷や汚れ等による影響を受けにくい。
【００１３】
また、前記画像データは、少なくとも白黒画像又はカラー画像からなる前記カード所有者の顔写真データ，虹彩データ，ＤＮＡデータ，静脈パターンデータ，指紋データ，印影データ，サインデータのいずれか一つのデータであると、個人特異性の高いデータにより照合を行うことが可能となるため、カードのセキュリティが向上し好適である。
【００１４】
更に、前記２次元コードは、少なくとも２個設けられており、各前記２次元コードには、前記画像データ又は文字データが格納され、少なくとも一つの２次元コードは、コードサイズが０ｍｍより大きく２．０ｍｍ以下で形成されていると、２．０ｍｍ以下で形成された２次元コードは、デジタルコピーによる複写が困難であるため、複写によるカード偽造を防止することができ、好適である。
【００１５】
更に、前記２次元コードには、電子透かし形態の識別子が埋め込まれていると好適である。
すなわち、電子透かし形態の識別子は、通常、視認不能に埋め込まれているため、識別子を抽出することは困難であり、カードの偽造が困難となる。
【００１６】
また、上記課題は、本発明の請求項６に係る情報提示照合システムによれば、少なくとも２つのカード素材を積層して形成されたカードであって、前記カード素材の間に、ＩＣチップ，ＲＦＩＤタグのうち少なくとも一つが挟持されたカードを用いた情報提示照合システムであって、前記２次元コードに格納された画像データと、前記２次元コードに格納された情報との照合を行うために前記ＩＣチップ，前記ＲＦＩＤタグに格納された照合データと、を読み取る読取手段と、該読取手段で読取られた前記画像データと前記照合データと、を照合する照合手段と、前記読取手段により読み取られた前記画像データ及び前記照合手段で照合された照合結果を出力する出力手段と、を備えることにより解決される。
【００１７】
このように構成されていると、２次元コードからデコードされた画像データから算出されるデータとＩＣチップ，ＲＦＩＤタグに格納されたデータとを照合することができ、カードが偽造されているか否かを確認することが可能となる。
【００１８】
また、このとき、前記２次元コードは、レーザ光を前記カード素材に照射し、前記レーザ光の焦点位置を前記カード素材の厚さ方向内部に合わせ、前記焦点位置の素材を変質させてレーザマーキングを施すことにより形成されていると、２次元コードの改竄が困難となり好適である。また、表面にマーキング痕が形成されないため、破損・汚れ等の外的影響を受けにくい。
【００１９】
更に、前記２次元コードには、電子透かしの形態の識別子が埋め込まれており、前記照合手段は、前記２次元コードから前記識別子を抽出する抽出手段を含み、前記識別子に対応した関連データを復号して、前記２次元コードに格納された情報との照合を行うよう構成されていると、電子透かし形態の識別子による照合を更に行うことが可能になり、より高いセキュリティが確保でき好適である。
【００２０】
また、前記情報提示照合システムには、個人情報を読み込む個人情報サンプリング手段が備えられ、前記照合手段は、前記個人情報サンプリング手段により読み込まれた個人情報サンプリングデータと、前記画像データと，前記照合データと、の照合を行うよう構成されていると、その場でサンプリングしたデータとカードに格納された情報を照合することができるため、カードを使用しようとしている人物がカード所持者本人であるのか否かを確認することが可能となり好適である。
【００２１】
更に、前記画像データは、前記カード所有者の顔写真データ，虹彩データ，ＤＮＡデータ，静脈パターンデータ，指紋データ，印影データ，サインデータのいずれか一つであると、個人特異性と高いデータで照合を行うことが可能となり好適である。
【００２２】
また、上記課題は、本発明の請求項１１に係る情報提示照合方法によれば、少なくとも２つのカード素材を積層して形成されたカードであって、前記カード素材の間に、ＩＣチップ，ＲＦＩＤタグのうち少なくとも一つが挟持されたカードを用いた情報提示照合方法であって、前記２次元コードに格納された画像データと、前記２次元コードに格納された情報との照合を行うために前記ＩＣチップ，前記ＲＦＩＤタグに格納された照合データと、を読み取る情報読取ステップと、個人より取得した個人情報サンプリングデータを読み込む個人情報サンプリングステップと、該読取手段で読取られた前記画像データと、前記照合データと、前記個人情報サンプリングデータと、の照合を行う情報照合ステップと、前記読取手段により読み取られた前記画像データ及び前記照合手段で照合された照合結果を出力する出力ステップと、を行うことにより解決される。
このように構成されていることにより、２次元コードに格納された画像データとＩＣチップ，ＲＦＩＤタグに格納された照合データとを照合することによって、カードが偽造された可能性があるか否かを確認することができるとともに、２次元コードに格納された画像データと個人情報サンプリングデータとを照合することによって、正当なカード所持者がカードを使用しようとしているか否かを確認することができる。
【００２３】
また、このとき、前記２次元コードには、電子透かしの形態の識別子が埋め込まれており、前記情報照合ステップは、前記２次元コードから前記識別子を抽出する抽出ステップを含み、前記識別子に対応した関連データを復号して、前記２次元コードに格納された情報との照合を行うよう構成されていると、より高度な照合を行うことが可能となり好適である。
すなわち、電子透かしは、人間が視認することが不可能な状態で埋め込まれるため、偽造される可能性が低く、画像データ，照合データ，電子透かし形態の識別子が示すデータの三者を照合することによって、よりセキュリティの高いデータ照合を行うことが可能となる。
【発明の効果】
【００２４】
本発明によれば、ｎ×ｎまたはｍ×ｎに縦横に配列されるドットから形成されたセルからなる２次元コードを利用して、２次元コードにユーザの顔写真等のカラー画像や個人固有の識別情報を直接書き込んでマーキングすることにより、２次元コードを読み取ったその場で、情報の照合を行うことや、個人情報の表示を行うことが可能となる。
また、２次元コードが、レーザマーキングによりカード素材内部に付されているので、印刷やシール貼付により２次元コードが付されたカードに比して、情報の書き換え等の不正行為を容易に見破ることが可能である。
更に、本発明によれば、インナーマーキング方式でレーザマーキングを行うので、カード表面には、凹凸等がなく、偽造を行うことが困難である。
【００２５】
また、本発明によれば、カードは複数のカード素材を積層することにより形成されているので、この複数のカード素材間にＩＣチップ及びＲＦＩＤタグを挟持させることができる。
よって、２次元コード，ＩＣチップ，ＲＦＩＤタグにそれぞれ照合可能な情報を格納しておき、これらの情報を照合して本人確認及び偽造の有無を確認することが可能である。
ＩＣチップはデジタル信号を利用したデータキャリアであり、ＲＦＩＤは無線反射でデータの読み書きを行っているため、単独で使用した場合には、データの改竄及び盗用が容易である。よって、２次元コードの情報とＩＣチップ，ＲＦＩＤタグに格納された情報を照合することにより、２重、３重の照合を行うことが可能となり安全性は高まることとなる。
【００２６】
また、カードは複数のカード素材を積層することによって形成されているので、２次元コードを付す側のカード素材が、透明又は半透明の素材であっても、積層するカード素材として有色素材を使用することにより、付された２次元コード等の情報の視認性を高くすることができる。
【００２７】
更に、電子透かし技術によって、２次元コードや画像に識別子を埋め込むことにより、視認不能な情報による照合を行うことが可能となるため、カードに付された情報の改竄が更に困難となる。
【００２８】
また、本人確認が重要なカードである場合には、２次元コードに個人特異性の高いバイオメトリクスに係る情報を複数格納することによって、本人であることの認証の精度が高まり、カードの安全性はより一層高まることとなる。
【発明を実施するための最良の形態】
【００２９】
以下、本発明の一実施の形態を図面に基づいて説明する。なお、以下に説明する部材，配置等は本発明を限定するものでなく、本発明の趣旨の範囲内で種々改変することができるものである。
【００３０】
図１は本実施形態に係る情報提示システムの構成を示す説明図、図２は２次元コードを備えたカードの一例を示す説明図、図３はＩＣチップ，ＲＦＩＤタグを備えたカードの一例を示す説明図、図４はベクトルマーキング及びドットマーキングを示す説明図、図５は１セル１ドットで形成された２次元コードを示す説明図、図６は２次元コードが画像へと変換される状態を示す説明図、図７はインナーマーキングの状態を示す説明図、図８はレーザマーキング装置の説明図、図９はレーザマーカーの説明図である。
【００３１】
図１は、本実施形態に係る情報提示システムＳを示す説明図である。
情報提示システムＳは、２次元コード１，ＩＣチップ及びＲＦＩＤタグに格納された情報の読取手段である読取装置１０と、読み取られた情報の照合及び出力を行うコンピュータ２０とを備えて構成されている。
【００３２】
読取装置１０は、据置型でもハンディ型であっても良く、２次元コード読取装置とＩＣチップ，ＲＦＩＤタグ読取装置が一体となったものである。
これら２次元コードを読取る方法及びＩＣチップ，ＲＦＩＤタグに格納された情報を読取る方法は、従来公知の方法を用いることができる。
【００３３】
例えば２次元コードを読取るためには、光源用ＬＥＤより２次元コードに光を照射し、その乱反射光をＣＣＤイメージセンサに結像して、この結像パターンを２値化信号に変換する。
変換した２値化信号は、コード規則に準じてデコードされるが、このデコードは、コンピュータ２０において行っても良いし、読取装置１０において行っても良い。
また、カード２にはデータ読出し用の接点が形成されており、この接点を経由してＩＣチップに格納されたデータを読取る。
更に、ＲＦＩＤタグに格納された情報を読取るためには、ＲＦＩＤタグの電源を誘導させて通信を行い、ＲＦＩＤタグに格納された情報を取得する。
【００３４】
なお、本実施の形態では、読取装置１０を２次元コード読取装置とＩＣチップ，ＲＦＩＤタグ読取装置を一体とした構成としたが、これらを別個に設けても良い。
また、読取装置１０として、携帯電話機に搭載されたＣＣＤカメラ及びＩＣチップ，ＲＦＩＤタグ読取装置を用いることもできる。
この場合、携帯電話機に搭載されたＣＣＤカメラを用いて撮像した２次元コード画像及び携帯電話機に着脱可能に搭載されたＩＣチップ，ＲＦＩＤタグ読取装置が読込んだ情報を無線通信手段を使用してコンピュータ２０へ送信するように構成する。次いで、コンピュータ２０でデータの解析及び照合を行い、その解析及び照合結果は、再び無線通信手段を使用して携帯電話機に送信されるように構成されているとよい。
【００３５】
照合手段及び出力手段として、本実施の形態では、パソコン等のコンピュータ２０を使用している。
コンピュータ２０は、モニターや液晶画面等から構成される表示部２１と、ＣＰＵ３１と、キーボードやマウス等から構成される操作部２２と、スピーカー等からなる音声出力部２３と、を備えて構成されている。
なお、照合手段及び出力手段としてはコンピュータ２０に限らず、読取装置１０に復号機能及び照合機能を有する演算装置，表示部，音声出力部が設けられていれば、それらを照合手段及び出力手段としても良い。
【００３６】
図２は、本実施形態に係る情報提示システムＳで使用される偽造防止カードの一例として、カード２を示すものである。カード２は、透明、半透明、白色の樹脂製の板材と、有色のＡＳ樹脂、ポリスチレン、ポリプロピレン等からなる樹脂製の板材（以下、「樹脂層２０２」と記す）を積層して構成される。
本実施形態では、透明、半透明、白色の樹脂製の板材としてポリカーボネート（以下、「ポリカーボネート層２０１」と記す）を使用している。
ポリカーボネートとは、ポリ炭酸エステルとも称され、主鎖中に炭酸エステル結合をもつ線状高分子である。ポリカーボネートは、寸法安定性、透明性、耐衝撃性に優れた素材であり、エンジニアリングプラスチック等としても使用される安定した素材である。
【００３７】
本実施形態においては、透明若しくは半透明の樹脂製板材としてポリカーボネートを使用したが、この樹脂製板材はポリカーボネートに限られるものではない。例えば、ポリスチレン、アクリル、ポリエチレン、ポリプロピレン等のように透明、半透明、白色の透光性の物質であれば良い。
あるいは、青、赤、黄色などの様々な色の板材を用い、その色をレーザマーキングで消して、明暗模様を出現させても良い。また、白抜き文字等を形成しても良い。
更に、白黒反転模様を形成することも可能である。
【００３８】
また、樹脂層２０２は、反射率の高い有色の樹脂が使用される。
ただし、ポリカーボネート層２０１に形成されるマーキングは黒色〜茶色であるため、樹脂層２０２として使用する樹脂は、マーキングの色に近似する黒色〜茶色の色彩を有するものは好ましくない。
樹脂層２０２として使用する樹脂は、マーキングの色と明確に区別することが可能な原色等の明度の高い色彩又は白色の色彩を有するものが好適に使用される。
【００３９】
なお、図３に示すように、ポリカーボネート層２０１と樹脂層２０２との間には、ＩＣチップ２０３，ＲＦＩＤタグ２０４が挟持されている。これらは、両方挟持されていても良いし、どちらか片方のみが挟持されていても良い。
ＩＣチップとは、半導体集積回路のことであり、磁気カードに比して１００倍近いデータを記憶できる。
ＲＦＩＤタグとは、無線を通じて電源を誘導させて、格納された情報の通信を行う非接触型デバイスであり、現在、ビル等でのアクセス制御、航空手荷物のトラッキングシステム、交通制御システム、自動車の盗難防止システム、図書館での蔵書管理等様々な分野で利用されている。
本実施形態におけるＲＦＩＤタグ２０４は、アンテナ２０５と情報が格納されたＩＣチップ２０６とを基本構成とする。
【００４０】
ポリカーボネート層２０１には、例えば、ユーザの顔画像、ユーザ名、社員番号、住所、会社名、ロゴマーク等の各種情報がマーキングされている。これらマーキングされる情報の種類は、カードの種類及び使用目的により適宜選択される。
そして、さらに本実施の形態におけるポリカーボネート層２０１には、ｎ×ｎまたはｍ×ｎ（ｎ，ｍは自然数）に縦横に配列されるドットからなる２次元コード１が付されている。
２次元コードとは、マトリックス状に配置された白及び黒のセルの組み合わせにより明暗模様を表してデータを表示するコードである。
このとき、２次元コード１とは別に、２次元コード１０１を形成することができる。
２次元コード１０１は、デジタルコピー機において複写不可能なサイズに形成されている。
例えば、２次元コード１をコードサイズ１０．６２ｍｍ、セルサイズ６０μｍに形成し、２次元コード１０１をコードサイズ１．１１ｍｍ、セルサイズ３０μｍに形成する。この２次元コード１０１には、文字データや画像データを格納することができる。
コードサイズの小さい２次元コード１０１は、正確に複写することが困難であるため、デジタルコピー機を使用した偽造や改竄が行われる恐れが少なく、２次元コード１に格納されたデータやＩＣチップ２０３，ＲＦＩＤタグ２０４に格納されたデータとの照合を行うためのデータを格納しておくのに好適である。
【００４１】
本実施の形態における２次元コード及びユーザの顔画像、ユーザ名、社員番号、住所、会社名、ロゴマーク等の情報は、レーザマーキングにより形成されている。
ここで、レーザマーキングについて説明すると、レーザマーキングには、ベクトルマーキングとドットマーキングとがある。
【００４２】
図４及び図５によりベクトルマーキング及びドットマーキングにより形成された２次元コードを説明する。
ベクトルマーキングは、例えば黒いセルを形成するとき、図４（ａ）に示すように上から下へ線状に塗りつぶすことにより作成する。
これに対して、ドットマーキングでは、図４（ｂ）に示すように、一つのセルを形成するために、ｎ×ｎまたはｍ×ｎに縦横に配列されるドットを、マトリクス状に展開配置して、正方形或いは長方形のセルを形成するものである。
ドットマーキングでは、例えば２次元コードのセルを形成する場合、各セルについて一つの個体として認識し、セル内にドットを配列してマーキングを行うため、マーキングがセルの外に飛び出したり、空白部分が生まれる等のマーキングミスが発生しない。
このため、ドットマーキングによれば、微細で複雑なマーキングを行うことができる。
【００４３】
ドットマーキングでは、１つのセル内のドット数やドット間距離、或いはドット径を調整することにより、セルサイズを大きくしたり小さくすることができる。
したがって、１つのセル内のドット数やドット間距離、或いはドット径を小さくすることによりセルを小さくすれば、単位セル数を増加させることができ、２次元コードにより多くの情報を格納することが可能となる。
したがって、例えば図５に示すように、１セル１ドットとすれば、多くの単位セル数を確保することができる。
【００４４】
このように、ドットマーキングで形成される２次元コードによれば、カラー画像のように比較的情報量の多いデータであっても、２次元コードに格納することが可能である。
例えば、図６に示すように、個人の顔画像をコード化した２次元コードを作成し、この２次元コードをデコードすることによって、顔画像を復元することができる。
なお、一般的な読取装置で読取可能な範囲で２次元コードを作成した場合、３，０００バイト程度の情報を格納する２次元コードとなる。このため、格納されるデータが３，０００バイト以下であれば、１つのコードに情報を格納することが可能であるが、それ以上のデータ量であった場合、データは複数の２次元コードに分けて格納される。
例えば１６個の２次元コードを形成すれば、４８，０００バイトのデータを格納することが可能である。
また、ドットマーキングによれば、ドット径を調整することによりドット密度を調整できるため、画像や文字を緻密に表現することが可能となる。
【００４５】
また、本実施形態の各マーキングは、インナーマーキング方式により行われる。
インナーマーキング方式とは、レーザマーキングの一例である。
このインナーマーキング方式では、照射するレーザ光の焦点を被マーキング物表面に合わせるのではなく、被マーキング物の内部に合わせることにより、マーキング痕を被マーキング物内部に形成する。よって、被マーキング物表面にはマーキングによる凹凸が形成されない。
【００４６】
このインナーマーキング方式によれば、カード２表面にレーザマーキングによるマーキング痕を形成することなく、図６に示すように、カードの厚み方向内部にマーキング痕を形成することができる。
図７は、ポリカーボネート層２０１へのインナーマーキングが行われる状態を示す説明図である。図７（ａ）に示すように、本実施の形態においては、ポリカーボネート層２０１内部にレーザ光Ｌの焦点を合わせ、その焦点位置のポリカーボネート素材を変質させることによってマーキング痕を施す。このとき、レーザ光Ｌの焦点位置を調整することによって、ポリカーボネート層２０１の厚さ方向の距離（以下、「深度」と記す）を変化させることができる。
【００４７】
このように、焦点位置を調整することによって、様々な深度でマーキングを施すことが可能となる。また、深度を変化させることにより、視認されるマーキング濃度を調整することも可能となる。すなわち、マーキング痕２０７とマーキング痕２０８とを比較すると、深度の浅いマーキング痕２０８の方が、深度の深いマーキング痕２０７に比して若干濃く視認されることとなる。
よって、濃淡のある画像をマーキングする場合には、ドット径を変化させてドット密度を調整するとともに、マーキングされるドットの深度を変化させることによって、より緻密な濃度変化をマーキングにより実現することが可能となる。
【００４８】
このように、濃淡を形成することによって、画像の立体感を表現することも可能となる。
また、深度を変えて、マークを重ねることにより、深度の深いマークを視認困難とし、電子透かし形態の識別子を埋め込むことが可能となる。
なお、マーキングするものによっては、ベクトルマーキングを行っても良い。例えば、毛髪の密集部分は塗りつぶし、毛髪の端部は一筆書きで表現すると良い。また、目の輪郭、睫毛等、ベクトルで表現することが可能な部分は、ベクトルマーキングを行うと良い。
本実施形態におけるマーキングは、ドットマーキングのみで行っても良いし、ベクトルマーキングのみで行っても良いし、ドットマーキングとベクトルマーキングとを組合せて行っても良い。
【００４９】
また、図７（ｂ）に示すように、樹脂層２０２をポリカーボネート層２０１上に積層させて、レーザ光の焦点をポリカーボネート層２０１表面に合わせることによって、マーキングを行うこともできる。この場合、前もってラミネート処理を行ったカード等にレーザマーキングを行うことが可能となるため、大量のカードを作成する場合においても効率良く作業を行うことができる。
【００５０】
上記カード２に付された２次元コードを読取装置１０で読み取ると、コンピュータ２０の表示部２１に、２次元コード１に格納されていた画像Ｇが表示される。また、格納されていたデータが音声データであった場合は、音声出力部２３から音声が発せられるよう構成されていても良い。
更に、２次元コードに格納されていた画像Ｇと、カード内部に挟持されたＩＣチップ，ＲＦＩＤタグに格納されたデータを照合した結果とが表示部２１に表示される。
このとき、データが複数の２次元コードに分けて格納されている場合は、１つの２次元コードを読み取る毎に、読取装置１０の記憶部に読取データを記憶しておき、全ての２次元コードが読み取られた後に、読取データに基づいて画像Ｇ，音声，照合結果が出力される。
また、表示部２１に画像Ｇが表示されることにより、この画像Ｇと、カード２を提示した本人とを見比べ、カード２が本人によって公正に使用されているかどうかを目視確認することも可能である。
【００５１】
また、２次元コード１には、電子透かし形態の識別子を埋め込むことが可能であり、この電子透かし技術によって、よりセキュリティの高い照合を行うことが可能となる。
電子透かしとは、データの中に埋め込まれた別のデータであり、通常、人間が認識できない形態で埋め込まれている。
埋め込むデータは、埋め込み対象データに対して微小な誤差程度となるように変換されて埋め込まれる。
本実施形態に係るカードでは、２次元コードに格納された情報を照合するための照合データを電子透かし形態の識別子として埋め込んでおく。電子透かし形態の識別子を埋め込む方法としては、代入法、選択法、構成法等の公知の方法が用いられる。
例えば、２次元コードが顔画像をコードしている場合には、顔画像照合に使用する顔特徴量等の個人データを識別子として埋め込んでおくと良い。この場合、読取られた２次元コード及び電子透かし形態の識別子は、コンピュータ２０で公知のプログラムにより復号されて照合される。
【００５２】
なお、電子透かし形態の識別子として、照合データを検出するための照合検出データを埋め込んでおいても良い。
この場合、予めコンピュータ２０のデータベースに個人の照合データを蓄積しておき、識別子に格納される照合検出データをキーにしてデータベースより対応する個人情報を検索して抽出できるように構成される。抽出された個人情報は２次元コードからデコードされた個人情報と照合される。
【００５３】
また、２次元コード１にユーザ名等の個人情報を識別子として埋め込み、２次元コード１を読取ってコンピュータ２０でデコードする際に、公知のプログラムで識別子の情報をユーザ名等の個人情報に復号して、ＣＣＤカメラ等で読み込んだカード２記載の個人情報との照合を行うように構成してもよい。また、コンピュータ２０の表示部２１に、復号された情報を表示させるように構成しても良い。
【００５４】
図８は、カード２に２次元コード１を書き込むためのレーザマーキング装置を示す説明図である。レーザマーキング装置は、レーザマーカー４０と、制御手段としての制御装置３０とを備えている。
レーザマーカー４０は、従来公知のものであり、例えばＹＡＧレーザ、ＣＯ２レーザ、ＹＶＯ４レーザ、ＵＶレーザ、グリーンレーザ等がある。
本実施の形態では、制御装置３０と、レーザマーカー４０とが１対１で設置されている構成が示されているが、制御装置３０に対して複数のレーザマーカー４０を接続し、被マーキング材に応じて、適切なレーザ光を出射するレーザマーカー４０が選択される構成としても良い。
【００５５】
図９に、レーザマーカー４０の一例としてＹＡＧレーザ装置の構成を示す。レーザマーカー４０において、レーザ発振器から発振されたレーザ光は、レベリングミラー５６により光路を変更され、アパーチャ５５，５８によりビーム径を絞られた後、ガリレオ式エキスパンダ５７によりビーム径を広げられる。さらに、アッテネータ４６により減衰されてから、ガルバノミラー４７により光路を変更・調整され、ｆθレンズ５９で集光されて、カード２に照射される。
【００５６】
ＹＡＧレーザ発振器５０には、ピーク出力（尖頭値）の極めて高いパルスレーザ光を得るための超音波Ｑスイッチ素子４３が設けられている。本実施の形態におけるレーザマーカー４０では、所定回のＱスイッチパルスで１個のドットがマーキングされるように構成されている。
レーザ発振器５０は、さらに全反射鏡５１、内部アパーチャ５２、ランプハウス５３、内部シャッタ４４、出力鏡５４を備えており、ＹＡＧレーザ発振器５０の出力側には外部シャッタ４５が設けられている。
【００５７】
上記超音波Ｑスイッチ素子４３、内部シャッタ４４、外部シャッタ４５、アッテネータ４６、ガルバノミラー４７は、コントローラ４１により制御される。コントローラ４１は、制御装置３０から送付された情報に基づいて、上記制御を行う。
【００５８】
制御装置３０は、種々の入力手段や通信回線網等を介して入力されたデータに基づいてマーキングデータを生成し、この生成したマーキングデータによりレーザマーカー４０を動作させるものである。
制御装置３０は、各種の演算処理や、レーザマーカー４０の制御を行うＣＰＵ３１と、キーボードやマウス等から構成される操作部３２と、モニターや液晶画面等から構成される表示部２１と、画像データを取り込むためのインターフェース・ボード等から構成される入力部３７と、通信回線網Ｉに接続されたモデム等から構成される通信部３５と、制御プログラムや、マーキング条件等の各種データを記憶する記憶部３６等を備えている。
【００５９】
上記制御プログラムは、記憶部３６のＲＯＭ３６ａに記憶されている。
また、上記マーキング条件は、レーザマーキングを行う際の条件を、ワークの性質や形状等に応じて設定したものであり、記憶部３６のハードディスク３６ｂに記憶されている。
マーキング条件としては、マーキング回数、１ドット当たりのレーザ照射時間、ドット密度、ドットサイズ、レーザ周波数、レーザ出力、スピード等がある。これらの条件は、レーザマーキングを行う際にＣＰＵ３１により読み込まれる。
【００６０】
画像データ入力手段３７は、画像データを取り込むための手段であり、スキャナ、デジタルカメラ、ビデオカメラ、静脈パターン撮像装置、携帯端末機、携帯電話等から構成されている。
制御装置３０は、画像データ入力手段３７を介して入力されたデジタルデータに基づいて２次元コードを生成し、レーザマーカー４０を動作させて、カード２上に２次元コード１のマーキング制御を行う。また、ユーザの顔画像、ユーザ名、ユーザ番号、有効期限、カード発行者名等の情報等は、画像データ入力手段３７から同様に取り込まれ、ドット毎にカード２上の平面座標位置、カード２表面から厚み方向の距離であるドット深度、ドット径が算出され、マーキング制御が行われる。
なお、画像データの２次元コード化と画像データの直接マーキングの切替は、制御装置３０のモードを切り替えることにより行う。
【００６１】
図１０に、本実施の形態の情報提示照合システムＳにおける処理の流れの一例を示す。
この処理においては、２次元コードに格納されたデータは本人の顔画像データである。
なお、本例においては、情報提示照合システムＳを銀行等に設置されるＡＴＭ等に組み合わせた例を示す。ただし、この情報提示照合システムＳは、ＡＴＭ等の機能と一体として構成されていても良い。
例えば、銀行等において、ユーザが提示したカード２に付された２次元コード及びＩＣチップ，ＲＦＩＤタグに格納されたデータを、ＡＴＭ等に設置された読取装置１０で読み取る（ステップＳ１）。
次に、コンピュータ２０に読取データが取り込まれる（ステップＳ２）。
取込まれた２次元コードに格納されたデータはデコードされ、顔画像Ｇが形成される（ステップＳ３）。
【００６２】
２次元コードをデコードした顔画像Ｇと、カード２内部に挟持されたＩＣチップ，ＲＦＩＤタグに格納されていた照合データは、コンピュータ２０で照合される（ステップＳ４）。
例えば、２次元コードに顔画像データが格納されていた場合、２次元コードに格納されていた顔画像データと、カード２内部に挟持されたＩＣチップ２０３，ＲＦＩＤタグ２０４に格納されていた顔情報データとの照合を行う。
この照合は、公知の「顔認証システム」によって行われる。
例えば、カード２を作成する際に、カメラ等の入力装置よりユーザの顔画像を取得し、取得した顔画像から顔位置を検出して顔部分を切り出し、顔特徴点を抽出する。
次いで、この顔特徴点から数学的手法を用い、個人特有の特徴量を算出して、この特徴量をＩＣチップ２０３，ＲＦＩＤタグ２０４へ格納しておく。
【００６３】
２次元コードにはユーザの顔画像データがコードされているので、２次元コードに格納された顔画像データがデコードされて顔画像Ｇが形成されると、その顔画像Ｇより上記と同様に個人特有の特徴量を算出することができる。よって、ＩＣチップ２０３，ＲＦＩＤタグ２０４に格納された個人特有の特徴量と、デコードされた顔画像Ｇから算出された個人特有の特徴量とを照合することによって照合を行うことができる。
そして、２次元コードの画像データからデコードされた顔画像Ｇ及び照合結果が、表示部２１に表示される（ステップＳ５）。
これらの２次元コードに格納されていた画像データとＩＣチップ２０３，ＲＦＩＤタグ２０４に格納されていた画像データが異なる場合には、カードが偽造された可能性が示唆される。
【００６４】
また、２次元コード１とは別に、２次元コード１０１を形成されている場合、ＩＣチップ２０３，ＲＦＩＤタグ２０４に格納されている情報と同様のデータである個人特有の特徴量を２次元コード１０１にも格納しておくことができる。この場合には、２次元コード１に格納されていた顔画像Ｇから算出された特徴量と、ＩＣチップ２０３，ＲＦＩＤタグ２０４に格納された特徴量と、２次元コード１０１に格納されていた特徴量と、の三者を照合することが可能となる。
コードサイズの小さい２次元コード１０１は、正確に複写することが困難であるため、偽造や改竄される恐れが少なく、セキュリティの高い照合を行うことが可能となる。
【００６５】
また、２次元コードには電子透かし形態の識別子を埋め込むことが可能であり、この電子透かし技術によって、よりセキュリティの高い照合を行うことが可能となる。
本実施形態に係るカード２に、２次元コードに格納された顔画像データを照合するための照合データである個人特有の特徴量を電子透かし形態の識別子として埋め込んでおく。
この場合、読取られた２次元コード及び電子透かし形態の識別子は、コンピュータ２０で公知のプログラムにより復号されて、公知の「顔認証システム」により照合される。
【００６６】
なお、電子透かし形態の識別子として、照合データを検出するための照合検出データを埋め込んでおいても良い。
この場合、予めコンピュータ２０のデータベースに個人特有の特徴量を蓄積しておき、識別子に格納される照合検出データをキーにして、対応する個人特有の特徴量をデータベースより検索して抽出できるように構成される。抽出された個人特有の特徴量は２次元コードからデコードされた画像Ｇから算出される個人特有の特徴量と照合される。
このように構成されている場合、識別子が検出されない場合や照合できない場合には、カードが偽造された可能性が示唆される。
なお、コンピュータ２０の表示部２１に、復号された情報を表示させるように構成し、目視による確認を行っても良い。
【００６７】
更に、このとき、ＡＴＭ等に設置された個人情報サンプリング手段としてのＣＣＤカメラ等の撮像装置により実際にカード２を提示したユーザの顔画像を撮像して個人情報サンプリングデータとし、２次元コードからデコードされた顔画像Ｇとの照合を行うと良い。
この場合、顔画像ＧとＣＣＤカメラから読取られた個人情報サンプリングデータとしての撮像画像データとを上記の「顔認証システム」で照合し、ＡＴＭ等でカード２を使用したユーザとカード２に格納されているユーザが同一人物であるか否かを確認し、この照合結果を表示部２１に表示する。
【００６８】
すなわち、２次元コードをデコードして得られた顔画像ＧとＡＴＭ等に設置されたＣＣＤカメラで撮像された撮像画像が異なる場合には、本人以外の人物がカードを所持している可能性が示唆される。
本例の場合、照合結果が「本人である」と認識された場合にのみ、ＡＴＭ等の操作が可能となるように構成されていると、カード２の不正使用を防止することができる。
また、照合結果が「偽造された疑いがある」若しくは「本人ではない」となった場合には、自動的に警備員等に連絡されるよう構成されていても良い。
また、銀行員や警備員等が、表示部２１に表示された顔画像Ｇと、カード２を提示した本人とを見比べて、カード２が本人によって公正に使用されたかどうかを確認してもよい。
【００６９】
また、２次元コード１とは別に、２次元コード１０１を形成されている場合、ＩＣチップ２０３，ＲＦＩＤタグ２０４に格納されている情報と同様のデータである個人特有の特徴量を２次元コード１０１にも格納しておくことができる。この場合には、２次元コード１に格納されていた顔画像Ｇから算出された特徴量と、ＩＣチップ２０３，ＲＦＩＤタグ２０４に格納された特徴量と、サンプリングされた画像から算出された特徴量と、２次元コード１０１に格納されていた特徴量と、の四者を照合することが可能となる。
【００７０】
また、ＡＴＭ等でカード２を使用するユーザの顔画像をＣＣＤカメラでサンプリングするのみならず、カード２に記載されている文字情報も同時に撮像することもできる。この場合には、２次元コード１０１に撮像対象の文字データを格納しておき、撮像された文字情報と２次元コード１０１からデコードされた文字情報を照合するように構成する。このように構成されていると、２次元コード１に格納された画像データから算出された特徴量とＩＣチップ２０３，ＲＦＩＤタグ２０４に格納された特徴量とを照合してカード偽造の有無を確認することができると共に、サンプリングされた文字データと２次元コード１０１に格納された文字データとを照合することによって重ねてカード偽造の有無の確認を行うことができる。また、２次元コード１に格納された画像データから算出された特徴量と、サンプリングされた画像データから算出された特徴量とを照合して本人確認ができる。このように、何重にもデータを照合してセキュリティの高い照合を行うことが可能となる。
【００７１】
同様に、２次元コードに格納された顔画像以外の他の各種データとＩＣチップ，ＲＦＩＤタグに格納されたデータを照合したり、２次元コードに格納された顔画像以外の他の各種データとＡＴＭ等でカード２を提示した本人のデータをその場でサンプリングして、サンプリングデータと２次元コード，ＩＣチップ，ＲＦＩＤタグに格納されたデータと、を照合することができる。
【００７２】
例えば、静脈パターンデータを２次元コードに格納しておき、この２次元コードに格納された情報と、上記同様にＩＣチップ，ＲＦＩＤカードに格納された静脈パターンデータと照合して、その結果を表示部２１に表示することができる。
この照合は、公知の「静脈パターン認証システム」によって行われる。
静脈パターンは、近赤外領域の光を手又は指に照射し、その透過光から得られる静脈パターンを撮像することによりサンプリングされる。これは、近赤外領域の光は、血液中のヘモグロビンに吸収される以外は、生体組織に対して透過率が高いという性質を利用したものである。
【００７３】
例えば、顔認証システムと同様に、カード２を作成する際に、静脈パターンセンサよりユーザの静脈パターンを取得して、ＩＣチップ，ＲＦＩＤタグへ格納しておく。
２次元コードにはユーザの静脈パターンデータがコードされているので、２次元コードに格納された静脈パターンデータとＩＣチップ，ＲＦＩＤタグに格納されたデータとを照合することによって、カードが偽造された可能性があるか否かを確認することができる。
【００７４】
また、ＡＴＭ等に個人情報サンプリング手段としての静脈パターンセンサを設置し、この静脈パターンセンサからＡＴＭ等でカード２を使用するユーザの静脈パターンデータをサンプリングし、このサンプリングデータと２次元コード，ＩＣチップ，ＲＦＩＤタグに格納された静脈パターンデータの画像とを照合し、ＡＴＭ等でカード２を使用するユーザとカード２に格納されているユーザが同一人物であるか否かを確認することができる。
これらの照合結果は、表示部２１に表示される。
本例の場合、照合結果が「本人である」と認識された場合にのみ、ＡＴＭ等の操作が可能となるように構成されていると、カード２の不正使用を防止することができる。
また、照合結果が「偽造された疑いがある」若しくは「本人ではない」となった場合には、自動的に警備員等に連絡されるよう構成されていても良い。
更に、微細２次元コード１０１を形成し、上記「顔認証システム」と同様の照合を行っても良い。
【００７５】
静脈パターンは、固体特有性が高く、指紋と同様に固体毎に異なる静脈パターンを有する。
この静脈パターンは、母体内で確立され、成長と共に大きさは変化するが、パターンの変化はないと考えられており、顔による区別が極めて困難な一卵性双生児においても、この静脈パターンは異なっている。
同様に指から採取される指紋データも固体特有性が高いが、傷等があると認識が困難である、年齢が高くなると指紋が薄くなり画像認識が困難になる等、問題が多い。静脈パターンによる照合システムによれば、非常に高い識別・照合精度を実現することが可能となる。
【００７６】
その他の例として、虹彩データ、指紋データ、ＤＮＡデータ等を２次元コード，ＩＣチップ，ＲＦＩＤタグに格納し、本システムに利用することができる。
このように、個人特異性の高い個人データを２次元コード格納して、照合を行うことによって、よりセキュリティの高いシステムが実現できる。また、２次元コードに電子透かし形態の識別子が埋め込まれていると、なお好適である。
【００７７】
なお、ここで述べた銀行等での本人認識に限らず、各種店舗、教室、病院、出入国管理を行う場合等においても、同様に本システムを利用することが可能である。
【００７８】
上記実施例では、内部にＩＣチップ，ＲＦＩＤタグを挟持した社員カード２に２次元コードを形成し、銀行等で、本実施の形態における情報提示システムＳを利用する例を示したが、これに限らず、会員証、運転免許証、クレジットカード、車検証等あらゆるカードに２次元コードを形成するとともに、カード内部にＩＣチップ，ＲＦＩＤタグを挟持して本人確認や認証に利用することができる。
また、本人確認を行う手段として、上記実施例で示した顔写真の他に、静脈パターンデータ，虹彩データ，ＤＮＡデータ，本人が書いたオリジナルサイン，指紋，音声データによる声紋を、本人確認の手段としても良い。
【００７９】
特に、パスポートや運転免許証については、近年になって偽造されるケースが増加している。したがって、パスポートや運転免許証の本体には顔写真を入れずに、その代わりに２次元コードをインナーマーキングしておき、本人確認をする際に２次元コードを読み取るようにすれば、偽造を防止し、不正行為を未然に阻止することが可能となる。
このとき、２次元コードを所定のアルゴリズムで暗号化しておき、読取装置または読取装置に接続されたコンピュータで解読する構成とすれば、より高いセキュリティを確保することができ好適である。
また、２次元コードに電子透かしの形態で形成された識別子を格納して、照合手段に加えることにより、より高いセキュリティを確保することが可能となる。
【００８０】
更に、顔写真データを格納した２次元コードと、静脈パターンデータ，指紋データ，虹彩データ，ＤＮＡデータ等のデータのうちの一つを格納した２次元コードの両方を形成しておき、本人確認を行う際に、顔及びその他の本人認識情報の両方によって確認を行うようにしても良い。そして、さらに精度の高い確認を行うために、印影データ，サインデータ，声紋データ、筆跡データ等により、３重、４重のチェックを行うようにすることも可能である。
また、本実施の形態においては、２次元コードに画像データを格納したが、２次元コードにＩＤパスワードデータ等の文字データを格納して、本人が入力したＩＤパスワードと照合するように構成しても良い。このとき、ＩＣチップ，ＲＦＩＤタグ側に２次元コードを起動させる暗号コードを別枠で設けても良い。
【００８１】
なお、次のような状況でも、本実施の形態における情報提示システムＳを利用することができる。
例えば、図１１に示すように、銀行届出印の印影と個人情報をコード化し、に２次元コード１を複数マーキングしたカードを作成する。
ユーザが預金引き出し等の目的で銀行の窓口を訪れたときに、カードに付された２次元コード１を窓口で読み取ると、表示手段にその場で印影と個人情報が表示される。
窓口では伝票等に押印された印影及び通帳の印影及び個人情報と、表示手段に表示された印影及び個人情報とを照合し、本人が適正な印鑑により手続きを行っているかどうかを確認することができる。
また、カードに挟持されたＩＣチップ，ＲＦＩＤタグに格納されたデータとの照合も行うことにより、カードが偽造された可能性があるか否かを確認でき、より厳重なチェックを行うことが可能となる。
【００８２】
また、本実施の形態におけるシステムは派遣会社で使用することも可能である。
すなわち、スタッフ派遣会社やアルバイト派遣会社で、各スタッフにカード２を持たせる。カード２には、スタッフの顔写真をコード化した２次元コード１が付され、スタッフの顔情報を格納したＩＣチップ，ＲＦＩＤタグが挟持されている。
スタッフが派遣されると、派遣先でカードに付された２次元コードを読み取る。そうすると、表示手段にその場で顔写真が表示される。
派遣先では、派遣されてきたスタッフについて、契約したスタッフであるかどうかを確認することができ、カード２に挟持されたＩＣチップ，ＲＦＩＤタグに格納された情報と２次元コードに格納された情報を照合することによりカードの偽造の有無を確認することができる。
【００８３】
以上のように、２次元コード格納された各種個人情報、ＩＣチップ，ＲＦＩＤタグに格納された情報，その場でサンプリングされた個人情報，電子透かし形態の識別子として２次元コードに埋め込まれた個人情報，を照合することにより本人確認を行うシステムについて記載したが、これらの組合せはカードに要求されるセキュリティの高さに応じて選択すると良い。クレジットカード，ＩＤカード等の高いセキュリティが必要なカードの場合には、何重もの照合を行うことが可能であるように、多くの情報を照合可能に構成されていると好適であり、その照合情報として個人特異性の高い情報を選択するとなお好適である。
【図面の簡単な説明】
【００８４】
【図１】本実施形態に係る情報提示システムの構成を示す説明図である。
【図２】２次元コードを備えたカードの一例を示す説明図である。
【図３】ＩＣチップ，ＲＦＩＤタグを備えたカードの一例を示す説明図である。
【図４】ベクトルマーキング及びドットマーキングを示す説明図である。
【図５】１セル１ドットで形成された２次元コードを示す説明図である。
【図６】２次元コードが画像へと変換される状態を示す説明図である。
【図７】インナーマーキングの状態を示す説明図である。
【図８】レーザマーキング装置の説明図である。
【図９】レーザマーカーの説明図である。
【図１０】情報提示システムＳにおける処理の流れを示す説明図である。
【図１１】２次元コードに格納される画像データの他の例を示す説明図である。
【符号の説明】
【００８５】
１  ２次元コード、  ２  カード、  １０  読取装置、  ２０  コンピュータ、  ２１  表示部、  ２２  操作部、  ２３  音声出力部、  ３０  制御装置、  ３１  制御部、  ３２  操作部、  ３４  入力部、  ３５  通信部、  ３６  記憶部、  ３６ａ  ＲＯＭ、  ３６ｂ  ハードディスク、  ３６ｃ  ＲＡＭ、  ４０  レーザマーカー、  ４１  コントローラ、４３  スイッチ素子、  ４４  内部シャッタ、  ４５  外部シャッタ、  ４６  アッテネータ、  ４７  ガルバノミラー、  ５０  レーザ発振器、５１  全反射鏡、５２  内部アパーチャ、５３  ランプハウス、  ５４  出力鏡、  ５５  アパーチャ、５６  レベリングミラー、５７  ガリレオ式エキスパンダ、  ５８  アパーチャ、  ５９  レンズ、  ２０１  ポリカーボネート層、  ２０２  樹脂層、  ２０３  ＩＣチップ、  ２０４  ＲＦＩＤタグ、  ２０５  アンテナ、  ２０６  ＩＣチップ、  ２０７，２０８  マーキング痕、  Ｓ  レーザマーキング装置、  Ｇ  画像
【図１】
2005346447.tif 000003
【図２】
2005346447.tif 000004
【図３】
2005346447.tif 000005
【図４】
2005346447.tif 000006
【図５】
2005346447.tif 000007
【図６】
2005346447.tif 000008
【図７】
2005346447.tif 000009
【図８】
2005346447.tif 000010
【図９】
2005346447.tif 000011
【図１０】
2005346447.tif 000012
【図１１】
2005346447.tif 000013